(57)【要約】【課題】受信処理における処理精度を高くすると、消費電力が高くなる。【解決手段】第１Ａ／Ｄ変換部２２は、受信したアナログ信号をデジタル信号に変換する。第１プレデマッピング部４０、第２プレデマッピング４２では、プレデマッピング処理を行う。ダイバーシティ合成部４４では、ダイバーシティ合成処理を行う。データ信号は、ビタビ復号部５２で硬判定あるいは軟判定のビタビ復号処理される。符号化部６４は、ビタビ復号部５２でビタビ復号したデータ信号を再び畳み込み符号化する。測定部６６は、ビット誤り率を計算する。処理精度選択部６８は、測定部６６で計算されたビット誤り率を予め定めたしきい値と比較して、受信処理において選択可能に設けられた複数の処理精度のうちのひとつを選択する。【選択図】        図３
2004236040.tif 000002
【特許請求の範囲】
【請求項１】
処理対象とすべき信号を入力する入力部と、
前記入力した信号の誤り率を測定する測定部と、
前記測定した誤り率に応じて、複数設けられた処理精度の候補の中からひとつの処理精度を選択する精度選択部と、
前記選択したひとつの処理精度によって、前記入力した信号を信号処理する信号処理部と、
を含むことを特徴とする受信装置。
【請求項２】
前記信号処理部は、前記入力した信号に含まれている複数の系列間の信号を合成するために、複数種類設けられた合成処理手段を備え、
前記精度選択部は、複数種類設けられた合成処理手段の中から、ひとつの合成処理手段を選択することを特徴とする請求項１に記載の受信装置。
【請求項３】
前記信号処理部は、前記入力した信号をデジタル信号に変換するために、ビット精度が複数種類設けられた変換処理手段を備え、
前記精度選択部は、前記変換処理手段におけるデジタル信号のビット精度の複数の候補から、ひとつのビット精度を選択することを特徴とする請求項１に記載の受信装置。
【請求項４】
前記入力した信号には、予めマッピング処理が施されており、
前記信号処理部は、前記入力した信号をデマッピングするために、ビット精度が複数種類設けられたデマッピング処理手段を備え、
前記精度選択部は、前記デマッピング処理手段におけるデマッピングされた信号のビット精度の複数の候補から、ひとつのビット精度を選択することを特徴とする請求項１に記載の受信装置。
【請求項５】
処理対象とすべき信号を入力するステップと、
前記入力した信号の誤り率を測定するステップと、
前記測定した誤り率に応じて、複数設けられた処理精度の候補の中からひとつの処理精度を選択するステップと、
前記選択したひとつの処理精度によって、前記入力した信号を信号処理するステップと、
を含むことを特徴とする受信方法。
【発明の詳細な説明】
【０００１】
【発明の属する技術分野】
本発明は、デジタル変調された信号を受信して復調する受信技術に関する。特に、消費電力を低減させる受信方法および装置に関する。
【０００２】
【従来の技術】
近年、映像や音声などの情報を伝送するために、高品質な信号の伝送や周波数利用効率の向上に優れた変調方式として、直交周波数分割多重（以下、「ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ」という）方式が検討されている。ＯＦＤＭ方式は、１チャンネルの帯域内に多数のサブキャリアを設ける変調方式で、ゴーストやマルチパスによる妨害に強く、移動体での良好な受信を可能にする。このＯＦＤＭ方式は、映像や音声などの情報化源符号化方式および多重化方式のＭＰＥＧ−２と共に、地上波デジタルテレビジョン放送方式に採用されている。地上波デジタルテレビジョン放送方式による送信装置は、映像や音声などのアナログ信号の情報をデジタル信号に変換して圧縮する符号化部と、圧縮された複数の情報を組合わせる多重化部と、伝送中に生じる誤りを訂正するための訂正符号化部と、時間インタリーブ、周波数インタリーブした後に情報を効率よく伝送するための変調部とから構成される。
【０００３】
また、送信装置は、映像や音声などの情報に加えて、現在伝送に使用されている変調方式、誤り訂正の畳み込み符号化率、時間インタリーブ長などのパラメータを特定するための伝送多重制御（以下、「ＴＭＣＣ：Ｔｒａｎｓｍｉｓｓｉｏｎ  ａｎｄ  Ｍｕｌｔｉｐｌｅｘｉｎｇ  Ｃｏｎｆｉｇｒａｔｉｏｎ  Ｃｏｎｔｒｏｌ」という）信号を挿入する。
【０００４】
地上波デジタルテレビジョン放送方式におけるデータ信号が割当てられたサブキャリアの変調には、ＤＱＰＳＫ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ）、ＱＰＳＫ、１６ＱＡＭ（Ｑｕａｄｒａｔｕｒｅ  Ａｍｐｌｉｔｕｄｅ  Ｍｏｄｕｌａｔｉｏｎ）、６４ＱＡＭの４種類が、さらにＴＭＣＣ信号が割当てられたサブキャリアの変調には、ＤＢＰＳＫ（Ｄｉｆｆｅｒｅｎｔｉａｌ  Ｂｉｎａｒｙ  Ｐｈａｓｅ  ＳｈｉｆｔＫｅｙｉｎｇ）が使用されており、それぞれマッピングの方法が異なる（例えば、特許文献１参照。）。また、ＤＱＰＳＫは差動変調方式、その他は同期変調方式と呼ばれ、各方式において挿入されるパイロット信号の種類や配置位置が異なる。
【０００５】
ところで、移動体での受信において伝送される信号はフェージングの影響を受けるため、受信電力が大きく変動し、高品質な信号伝送の維持が困難となる。フェージングによる品質劣化を軽減する方式として、ダイバーシティ合成技術がある。この技術は、独立な複数の信号を受信し、これらを適切に用いることによりフェージング変動を軽減する。この技術は、選択合成、等利得合成、最大比合成の３種類を基本とするが、特に選択合成は、複数の受信信号のうち、最も劣化の少ない信号を選択して出力するため、回路規模が小さい。
【０００６】
【特許文献１】
特開２００１−１０３０２９号公報
【０００７】
【発明が解決しようとする課題】
ダイバーシティ合成処理は、高品質な信号の伝送を可能にする一方で、複数の信号を受信するための回路の動作によって、一般に消費電力がより増加する。また、アナログ信号をデジタル信号に変換する際のデジタル信号のビット精度や誤り訂正された信号を復号する際のビット精度が高くなれば、伝送される信号の品質は高くなるが、消費電力も増加する。一方、地上波デジタルテレビジョン放送方式を移動端末に適用して、移動端末によって地上波デジタルテレビジョン放送を受信する場合、バッテリーによる端末駆動が想定されることから、受信処理における消費電力は小さい方が望ましい。
【０００８】
本発明はこうした状況に鑑みなされたものであり、その目的は高品質な信号の伝送と処理の低消費電力を両立する受信方法および装置を提供することである。また、受信信号の品質に応じて受信についての処理精度を切り替える受信方法および装置を提供することである。
【０００９】
【課題を解決するための手段】
本発明のある態様は受信装置である。この装置は、処理対象とすべき信号を入力する入力部と、入力した信号の誤り率を測定する測定部と、測定した誤り率に応じて、複数設けられた処理精度の候補の中からひとつの処理精度を選択する精度選択部と、選択したひとつの処理精度によって、入力した信号を信号処理する信号処理部とを含む。
【００１０】
信号処理部は、入力した信号に含まれている複数の系列間の信号を合成するために、複数種類設けられた合成処理手段を備え、精度選択部は、複数種類設けられた合成処理手段の中から、ひとつの合成処理手段を選択してもよい。
【００１１】
「合成」には、複数の系列間の信号を加算するのみでなく、複数の系列間の信号に統計的処理を施して加算したり、複数の系列間の信号のうちひとつを選択する場合も含むものとし、複数の系列間の信号に対する所定の処理であればよいものとする。
【００１２】
信号処理部は、前記入力した信号をデジタル信号に変換するために、ビット精度が複数種類設けられた変換処理手段を備え、精度選択部は、変換処理手段におけるデジタル信号のビット精度の複数の候補から、ひとつのビット精度を選択してもよい。入力した信号には、予めマッピング処理が施されており、信号処理部は、入力した信号をデマッピングするために、ビット精度が複数種類設けられたデマッピング処理手段を備え、精度選択部は、デマッピング処理手段におけるデマッピングされた信号のビット精度の複数の候補から、ひとつのビット精度を選択してもよい。
【００１３】
「デマッピングされた信号のビット精度」には、硬判定や軟判定の区別も含むものとする。
以上の装置により、複数種類の処理精度による処理手段から、誤り率に応じてひとつの処理精度による処理手段を選択して、受信処理を実行するため、誤り率が劣化していない場合に、低消費電力化が可能な処理精度による受信処理の実行が可能である。
【００１４】
本発明の別の態様は受信方法である。この方法は、処理対象とすべき信号を入力するステップと、入力した信号の誤り率を測定するステップと、測定した誤り率に応じて、複数設けられた処理精度の候補の中からひとつの処理精度を選択するステップと、選択したひとつの処理精度によって、入力した信号を信号処理するステップとを含む。
【００１５】
なお、以上の構成要素の任意の組合せや、本発明の構成要素や表現を方法、装置、コンピュータプログラム、コンピュータプログラムを格納した記録媒体、データ構造などの間で相互に置換したものもまた、本発明の態様として有効である。
【００１６】
【発明の実施の形態】
本実施の形態は、地上波デジタルテレビジョン放送方式に関し、送信装置から送信すべき情報をＯＦＤＭ方式で変調した信号が送信される。受信装置は、送信された信号を受信するが、受信電力や遅延プロファイルなどの品質は、伝搬環境の影響を受けて変動する。本実施の形態の受信装置は、予め複数段階の処理精度を備えた受信処理手段を設け、受信した信号の品質に応じてひとつの処理精度を選択して、当該選択した処理精度による受信処理手段によって、受信信号を受信処理する。すなわち、受信電力が小さいなどによって、信号の誤り率が劣化した場合、受信装置から出力される信号の品質すなわち誤り率をより改善させるために、受信装置は、処理精度のより高い受信処理手段に変更して、受信信号を受信処理する。一方、信号の誤り率が小さかった場合、受信処理による消費電力を小さくするために、受信装置は、処理精度のより低い受信処理精度に変更して、受信信号を受信処理する。
【００１７】
図１（ａ）−（ｄ）は、本実施の形態に係るデータ構造を示す。図１（ａ）は、時間領域における１ＯＦＤＭフレームの構成を示すが、図示の通り１ＯＦＤＭフレームは２０４ＯＦＤＭシンボルによって構成される。通常、動画像などのテレビプログラムは複数のＯＦＤＭフレームによって送信される。図１（ｂ）は、１ＯＦＤＭシンボルの構成を示す。１ＯＦＤＭシンボル中には、テレビプログラムのデータに相当する有効信号と、ガードインターバルに相当する無効信号が含まれている。有効信号の期間が高速フーリエ変換（以下、「ＦＦＴ」という）タイミングに相当する。図１（ｃ）は、図１（ｂ）の有効信号を周波数領域で示す。有効信号には、等しい周波数帯域幅のＯＦＤＭセグメントが１３個及び両端にヌル信号が配置されている。地上波デジタルテレビジョン方式では、１３ＯＦＤＭセグメントすべてに対して、ひとつの詳細な画像のテレビプログラムを割当ててもよく、また、１３ＯＦＤＭセグメントを複数に分割して、それぞれに対して異なるテレビプログラムを割当ててもよい。
【００１８】
特に、１ＯＦＤＭセグメントのみにひとつのテレビプログラムを割当て、受信装置において当該１ＯＦＤＭセグメントのみを受信するサービス形態が部分受信方式である。通常、１ＯＦＤＭセグメントにひとつのテレビプログラムを割当てる場合、中央のＯＦＤＭセグメント、すなわち図１（ｃ）のＯＦＤＭセグメント０を使用する。図１（ｄ）は、ひとつのＯＦＤＭセグメントの構成を示すが、これはＮ個のサブキャリアで構成されている。それぞれのサブキャリアに対して、データセグメントと呼ぶデータ信号のグループやパイロット信号が割当てられている。また、Ｎは、モード１では１０８、モード２では２１６、モード３では４３２とされる。
【００１９】
図２は、ＦＦＴ後の有効信号の構成を示す。この信号には数千のサブキャリアが含まれているが、これらのサブキャリアは、データ信号用のサブキャリアの他、ＴＭＣＣ信号用のサブキャリア、パイロット信号用のサブキャリアなどに分類される。これらのサブキャリアは、前述の通り、１３ＯＦＤＭセグメントに分割され、これら１３ＯＦＤＭセグメントは最大３階層に分割されている。データ信号用のサブキャリアは各階層ごとにＴＭＣＣ信号によって指定された変調方式で変調されており、ＴＭＣＣ信号用のサブキャリアはＤＢＰＳＫで変調されている。
【００２０】
図３は、実施の形態１に係る受信装置１００の構成を示す。受信装置１００は、第１前処理部１０、第２前処理部１２、中処理部１４、後処理部１６、制御部１８を含む。第１前処理部１０は、第１チューナ部２０、第１Ａ／Ｄ変換部２２、第１同期部２４、第１ＦＦＴ部２６、第１復調部２８を含み、第２前処理部１２は、第２チューナ部３０、第２Ａ／Ｄ変換部３２、第２同期部３４、第２ＦＦＴ部３６、第２復調部３８を含み、中処理部１４は、第１プレデマッピング部４０、第２プレデマッピング４２、ダイバーシティ合成部４４、周波数デインタリーブ部４６、時間デインタリーブ部４８、ビットデインタリーブ部５０を含み、後処理部１６は、ビタビ復号部５２、バイトデインタリーブ部５４、エネルギー逆拡散部５６、ＲＳ復号部５８、ＭＰＥＧデコード部６０、Ｄ／Ａ変換部６２を含み、制御部１８は、符号化部６４、測定部６６、処理精度選択部６８を含む。
【００２１】
第１チューナ部２０は、図示しない送信装置において、ＯＦＤＭ変調方式で変調されたＲＦ信号を受信し、ベースバンド信号にダウンコンバートする。第１Ａ／Ｄ変換部２２は、アナログ信号をデジタル信号に変換すると共に、ヒルベルト変換などを用いて実軸（以下、「Ｉ軸」という）成分の信号と、虚軸（以下、「Ｑ軸」という）成分の信号を生成する。ここでは、出力されるデジタル信号のビット精度は、可変であるものとする。第１同期部２４がクロック同期やシンボル同期の同期処理を行う。第１ＦＦＴ部２６は、ＦＦＴによって時間軸のＩ軸とＱ軸の信号を周波数軸の信号に変換する。第１復調部２８は、変調方式に対応した差動復調などの各種復調処理を行う。
【００２２】
さらに、第１復調部２８は、パイロット信号のうちＳＰ（ＳｃａｔｔｅｒｅｄＰｉｌｏｔ）信号を用いてＳＰの分散より各サブキャリアの信頼性の高さを検出する（参考文献：「地上伝送路特性を考慮した誤り制御」、１９９８年映像情報メディア学会年次大会３−１）。ただし、ＳＰはＱＰＳＫ、１６ＱＡＭ、６４ＱＡＭの同期変調方式にのみ含まれるので、信頼性情報は同期変調方式の間だけ検出される。検出結果は後述する軟判定ビタビ復号処理の重み付けに反映できるような３ビット程度の信号として出力する。パイロット信号用のサブキャリアもデータ信号用のサブキャリアと同様にこの信頼性検出を行う。なおＳＰは、同期変調方式の際、１２サブキャリアに１回、４ＯＦＤＭシンボルに１回挿入されている。また、第１復調部２８は、ＯＦＤＭセグメントの番号０から順に読み出す処理、ＴＭＣＣ信号の復号処理も行う。
【００２３】
第２前処理部１２に含まれる第２チューナ部３０、第２Ａ／Ｄ変換部３２、第２同期部３４、第２ＦＦＴ部３６、第２復調部３８は、それぞれ第１前処理部１０において対応するものと同一の機能を有する。
【００２４】
第１プレデマッピング部４０、第２プレデマッピング４２では、後述するプレデマッピング処理を行う。プレデマッピング処理では、まず各種変調方式のコンスタレーションに対応した基準値を決定する。次に各サブキャリアに割当てられたデータ信号の値に最も近い基準値を求め、１６ＱＡＭなら４ビットのような、この基準値を表すビットデータと、このサブキャリアが基準値よりＩ軸方向、Ｑ軸方向のそれぞれどの方向にどれだけの大きさのずれがあるかを表すためのＩ軸、Ｑ軸それぞれ３ビットのビットデータを組合わせた形をプレデマッピングデータ信号として出力する。ここでは、基準値を表すビットデータのみを出力する硬判定、あるいは基準値に加えて最も近い基準値からの誤差情報を含めたビットデータも出力する軟判定のいずれかを選択して実行する。
【００２５】
さらに、第１プレデマッピング部４０、第２プレデマッピング４２では、プレデマッピングデータ信号の信頼性をそれぞれ第１ＦＦＴ部２６、第２ＦＦＴ部３６で求めた信頼性情報や、デマッピング基準値との誤差の分散値から検出する別の信頼性情報から、プレデマッピングデータ信号の信頼性を判定し、信頼できないデータ信号は消去と判定して、その情報と共にデータ信号を出力する。すなわち、信頼性情報のうち所定の１ビットのデータが「データ消失」を示していれば、プレデマッピングデータ信号は消失と判定され、０を出力する。一方、「データ消失」でないなら信頼性情報より信頼性を判断し、各サブキャリアに割当てられたそれぞれのデータ信号の値と基準点のずれの大きさに対して、信頼性に応じた補正を行って出力する。また、ダイバーシティ合成処理用に、信頼性に関わる様々な情報をデータ信号と共に出力する。
【００２６】
ダイバーシティ合成部４４では、ダイバーシティ合成処理を行い、合成されたデータ信号を出力する。ダイバーシティ合成処理としては、第１前処理部１０と第２前処理部１２間の様々な信頼性情報を比較し、より信頼性の高い方を選択する選択合成やプレデマッピングデータ信号に最も近い基準値がブランチ間で一致していればその基準値をダイバーシティ合成結果のデータ信号として出力する基準値一致判定合成などを含み、さらにユーザの要求に応じてこれらを組合わせる。なお、ここではダイバーシティ合成部４４においてダイバーシティの処理を行わずに、第１前処理部１０あるいは第２前処理部１２のどちらか一方のみの動作も可能である。
【００２７】
周波数デインタリーブ部４６では、周波数インタリーブ処理によって周波数方向に並べ替え処理されたサブキャリアをもとの順序に並べ替え、時間デインタリーブ部４８では、時間インタリーブ処理によって時間方向に並べ替え処理されたサブキャリアをもとの順番に並べ替える。
【００２８】
データ信号は、ビットデインタリーブ部５０でビットデインタリーブ処理された後、ビタビ復号部５２で硬判定あるいは軟判定のビタビ復号処理される。さらに、バイトデインタリーブ部５４でバイトデインタリーブ処理され、エネルギー逆拡散部５６でエネルギー逆拡散処理され、ＲＳ復号部５８でリードソロモン符号が復号され、ＭＰＥＧデコード部６０でＭＰＥＧ２が復号された後、Ｄ／Ａ変換部６２でアナログ信号に変換されて出力される。
【００２９】
符号化部６４は、ビタビ復号部５２でビタビ復号したデータ信号を再び畳み込み符号化する。ここで畳み込み符号化の符号化率は、図示しない送信装置における符号化率と同一にする。測定部６６は、ビタビ復号部５２でビタビ復号される前のデータ信号に、符号化部６４で符号化されたデータ信号が一致しない割合、すなわちビット誤り率を計算する。処理精度選択部６８は、測定部６６で計算されたビット誤り率を予め定めたしきい値と比較して、受信処理において選択可能に設けられた複数段階の処理精度のうちのひとつを選択する。詳細は後述するが、ビット誤り率に応じて、第１Ａ／Ｄ変換部２２と第２Ａ／Ｄ変換部３２のビット精度の値、ダイバーシティ合成部４４におけるダイバーシティ合成処理のＯＮ／ＯＦＦ、ビタビ復号部５２の硬判定あるいは軟判定を選択する。
【００３０】
本実施の形態では、インタリーブ処理されたデータを第１プレデマッピング部４０あるいは第２プレデマッピング４２でプレデマッピング処理しているが、通常は、図示しないデマッピング部がデマッピング処理する。デマッピング部は、一般に、時間デインタリーブ部４８の後段に設けられる。デマッピング処理においては、各変調方式に応じたコンスタレーション上の基準点を求め、次にデータ信号ごとに最も近い基準点を選択し、その基準点を特定する情報を最大６ビットのビットデータで表す。そのビットデータは、各ビットをそれぞれ３ビットずつに、計最大１８ビットに拡張される。具体的には、各ビットを、受信データとこれに最も近い基準点とのずれの度合に応じて、「１」に最も確からしい方から「０」に最も確からしい方まで、１１１、１１０、１０１、１００、０１１、０１０、００１、０００と表す。例えば、「０００，０００，０００，０００，１０１，０１１」といった１８ビットのデータで表される。なお、コンスタレーションのマッピングは、ＱＰＳＫの場合は図４、１６ＱＡＭの場合は図５、６４ＱＡＭの場合は図６に示される。
【００３１】
一方、本実施の形態で使用されるプレデマッピング処理とは、時間デインタリーブ処理より前、もしくは周波数デインタリーブ処理より前にデマッピング処理を行うことであり、特開２００１−３２０３４５号公報にて提案されている。プレデマッピング処理では、通常のデマッピングデータ信号と異なり、変調方式に対応するコンスタレーション上の基準点を示す第１のデータと、その基準点とデータとのずれの大きさを示す第２のデータとを有するプレデマッピングデータ信号を生成する。プレデマッピングデータ信号は時間デインタリーブ後にデマッピングデータ信号に変換する必要があるが、デマッピングデータ信号が基準点を示すデータ（最大６ビット）の３倍の情報量（最大１８ビット）を必要とするのに対し、プレデマッピングデータ信号は第１のデータが最大６ビット、第２のデータは常に６ビットとなり、合計最大１２ビットで表すことができる。
【００３２】
例えば、デマッピング処理における「０００，０００，０００，０００，１０１，０１１」の１８ビットのデータは、プレデマッピング処理において「００００１０，１１０，０１１」といった１２ビットのデータで表すことができる。多くのメモリを必要とする周波数デインタリーブ処理、時間デインタリーブ処理前にプレデマッピング処理によってデータのビット幅を減らすことで、メモリ使用量の削減につながるという利点を有する。
【００３３】
図７は、処理精度選択部の判定基準を示す。ここでは、処理精度をレベル１からレベル５の５段階に分類するが、その中でレベル５の処理精度が最も高く、レベル１処理精度が最も低い。各レベルの処理精度として、図３の第１Ａ／Ｄ変換部２２と第２Ａ／Ｄ変換部３２のビット精度の値、ダイバーシティ合成部４４におけるダイバーシティ合成処理のＯＮ／ＯＦＦ、ビタビ復号部５２の硬判定あるいは軟判定が規定されている。例えば、レベル５では、ダイバーシティ合成処理がＯＮに、ビット数が８ビットに、マッピングが軟判定に設定され、レベル３では、ダイバーシティ合成処理がＯＦＦに、ビット数が６ビットに、マッピングが軟判定に設定される。
【００３４】
図８は、処理精度選択の手順を示す。図３の処理精度選択部６８は、図７における処理精度をレベル５に設定する（Ｓ１０）。第１前処理部１０、第２前処理部１２、中処理部１４、後処理部１６は、一定の期間において、受信処理を実行する。受信処理すべきデータ信号がまだ継続する場合（Ｓ１２のＮ）、測定部６６はビット誤り率を測定する（Ｓ１４）。一方、データ信号が終了の場合（Ｓ１２のＹ）は、処理を終了する。処理精度選択部６８は、測定されたビット誤り率が、予め定めた第１のしきい値より低く（Ｓ１６のＹ）、現在の処理精度がレベル１でなければ（Ｓ１８のＮ）、レベルをひとつ下げる（Ｓ２０）。例えば、現在レベル５の場合は、レベル４にされる。現在の処理精度がレベル１であれば（Ｓ１８のＹ）、レベル１を維持する。
【００３５】
測定されたビット誤り率が、第１のしきい値より高く（Ｓ１６のＮ）、第２のしきい値よりも高い場合（Ｓ２２のＹ）、現在の処理精度がレベル５でなければ（Ｓ２４のＮ）、レベルをひとつ上げる（Ｓ２６）。例えば、現在レベル３の場合は、レベル４にされる。ここで、第２のしきい値は、第１のしきい値よりも高い値として設定されるものとする。現在の処理精度がレベル５であれば（Ｓ２４のＹ）、レベル５を維持する。測定されたビット誤り率が、第２のしきい値よりも低い場合（Ｓ２２のＮ）、レベルの変更はされない。
以上のように設定された処理精度によって、継続するデータ信号を受信処理する。
【００３６】
図９は、コンスタレーション上の基準点とその基準点とのずれ度合いを示す。黒丸で示した４点は、それぞれコンスタレーション上の基準点の一部であり、それぞれ硬判定において「００００」、「０００１」、「００１１」、「００１０」を示す。一方、白丸は、基準点ではないデータを示し、これを１２ビットで軟判定すれば、「０００  ０００  １０１  １００」と示されるが、硬判定すれば、「００１１」と示される。すなわち、軟判定の１２ビットのデータにおける４ビットは基準点を示し、８ビットは基準点とのずれ度合いを示す。硬判定と軟判定を比較すると、軟判定にもとづいた誤り訂正は、処理精度が高い反面、消費電力も高くなる。
【００３７】
以上の構成による受信装置１００の動作は以下の通りである。ふたつのアンテナで受信されたＲＦ信号が第１チューナ部２０、第２チューナ部３０にそれぞれ入力される。第１Ａ／Ｄ変換部２２、第２Ａ／Ｄ変換部３２は、これらの信号をベースバンドの８ビットデジタル信号にそれぞれ変換し、第１復調部２８、第２復調部３８が復調する。第１プレデマッピング部４０、第２プレデマッピング部４２は復調した信号を、１２ビットのプレデマッピング信号にして出力し、ダイバーシティ合成部４４が合成する。合成された信号は、ビタビ復号部５２で軟判定される一方、測定部６６で誤り率が測定される。処理精度選択部６８は、誤り率の結果、ダイバーシティ合成部４４のダイバーシティ合成をＯＦＦにする判断をし、その後受信されるＲＦ信号は、第１チューナ部２０にのみ入力される。
【００３８】
以上の構成により、受信した信号のビット誤り率が劣化している場合は、受信処理の処理精度を高くするため、高品質な信号の伝送を可能にし、受信した信号のビット誤り率が劣化していない場合は、受信処理の処理精度を低くするため、消費電力を低くできる。
【００３９】
以上、本発明を実施の形態をもとに説明した。この実施の形態は例示であり、その各構成要素や各処理プロセスの組合せにいろいろな変形例が可能なこと、またそうした変形例も本発明の範囲にあることは当業者に理解されるところである。そうした変形例を以下挙げる。
【００４０】
本実施の形態においては、処理精度選択部６８が受信処理の処理精度として、第１Ａ／Ｄ変換部２２と第２Ａ／Ｄ変換部３２のビット精度の値、ダイバーシティ合成部４４におけるダイバーシティ合成処理のＯＮ／ＯＦＦ、ビタビ復号部５２の硬判定あるいは軟判定を組み合わせた形で選択しているが、それぞれ個別に選択してもかまわない。さらに、その際のビット誤り率のしきい値を個別に設定してもかまわない。本変形例によれば、より処理精度の細かい設定が可能となる。
【００４１】
本実施の形態においては、ダイバーシティ合成部４４のダイバーシティ合成処理についての処理精度の選択をダイバーシティ合成処理のＯＮ／ＯＦＦとしているが、これに限られず、例えば、選択ダイバーシティ処理と最大比合成ダイバーシティ処理のように、異なるダイバーシティ合成処理を選択してもよい。本変形例によれば、ダイバーシティ合成処理についての処理精度のより細かい設定が可能となる。
【００４２】
本実施の形態においては、測定部６６が受信信号の誤り率としてビット誤り率を測定したが、これに限らず、例えば、所定のフレーム内に誤ったデータ信号が存在する確率をもとに計算するフレーム誤り率でもよく、受信信号の品質が測定できればよいものとする。本変形例によれば、送受信装置を含んだ規格に適合した誤り率の測定が可能となる。
【００４３】
本実施の形態においては、処理精度選択部６８が処理精度を特定した場合、その後処理精度の変更を行っていないが、所定の期間ごとに処理精度を変更してもよい。本変形例によれば、伝搬環境の変動に応じた処理精度の選択が可能になる。
【００４４】
本実施の形態においては、ＯＦＤＭ方式によるデータ受信を例に説明したが、変形例としてはコンスタレーション表示が可能な他の変調方式による伝送方法に本発明を用いてもよい。本変形例によれば、さまざまな伝送方式に適用可能となる。
【００４５】
【発明の効果】
本発明によれば、高品質な信号の伝送と処理の低消費電力を両立できる。また、受信信号の品質に応じて受信についての処理精度を切り替えることができる。
【図面の簡単な説明】
【図１】図１（ａ）−（ｄ）は、本実施の形態に係るデータ構造を示す図である。
【図２】本実施の形態に係るフーリエ変換後の有効信号の構成を示す図である。
【図３】本実施の形態に係る受信装置の構成を示す図である。
【図４】ＱＰＳＫのコンスタレーションを示す図である。
【図５】１６ＱＡＭのコンスタレーションを示す図である。
【図６】６４ＱＡＭのコンスタレーションを示す図である。
【図７】図３の処理精度選択部の判定基準を示す図である。
【図８】図３の処理精度選択のフローチャートである。
【図９】コンスタレーション上の基準点とその基準点とのずれ度合いを示す図である。
【符号の説明】
１０  第１前処理部、  １２  第２前処理部、１４  中処理部、  １６  後処理部、  １８  制御部、  ２０  第１チューナ部、  ２２  第１Ａ／Ｄ変換部、２４  第１同期部、  ２６  第１ＦＦＴ部、  ２８  第１復調部、  ３０  第２チューナ部、  ３２  第２Ａ／Ｄ変換部、  ３４  第２同期部、  ３６  第２ＦＦＴ部、  ３８  第２復調部、  ４０  第１プレデマッピング部、  ４２  第２プレデマッピング部、  ４４  ダイバーシティ合成部、  ４６  周波数デインタリーブ部、  ４８  時間デインタリーブ部、  ５０  ビットデインタリーブ部、  ５２  ビタビ復号部、  ５４  バイトデインタリーブ部、  ５６  エネルギー逆拡散部、  ５８  ＲＳ復号部、  ６０  ＭＰＥＧデコード部、  ６２  Ｄ／Ａ変換部、  ６４  符号化部、  ６６  測定部、  ６８  処理精度選択部、  １００  受信装置。
【図１】
2004236040.tif 000003
【図２】
2004236040.tif 000004
【図３】
2004236040.tif 000005
【図４】
2004236040.tif 000006
【図５】
2004236040.tif 000007
【図６】
2004236040.tif 000008
【図７】
2004236040.tif 000009
【図８】
2004236040.tif 000010
【図９】
2004236040.tif 000011